(57)【特許請求の範囲】
【請求項１】
加入者電話機と外部の加入者線との間に介挿される宅内転送装置であって、
前記加入者電話機での呼の着信を検出する着信検出部と、発信加入者の電話番号を検出するための発信加入者電話番号検出部と、当該装置各部を制御すると共に、着信電子メールを作成する制御部と、該制御部で作成された着信電子メールを前記加入者線に適合した信号に変換して出力するｘＤＳＬ宅内モデムとを備えてなると共に、
前記制御部は、外部の発呼が前記加入者線を介して前記加入者電話機に着信したときは、着信した旨を表す前記着信電子メールを作成し、当該着信電子メールを特定の携帯電話機に転送するように予め設定登録されているインターネットプロバイダへ高速ディジタル通信回線を介して送出し、さらに、前記インターネットプロバイダを介して前記着信メールを受け取った前記端末装置から受信要求があったときは、前記発呼を前記高速ディジタル通信回線を介して転送する構成にされていることを特徴とする宅内転送装置。
【請求項２】
加入者電話機と外部の加入者線との間に介挿される宅内転送装置であって、
前記加入者電話機に接続され、該加入者電話機が前記加入者線を介して外部から送信されてきた呼を受信するときに接続状態になる切替えスイッチ部と、前記加入者電話機での呼の着信を検出する着信検出部と、発信加入者の電話番号を検出するための発信加入者電話番号検出部と、前記加入者電話機側から入力されるアナログ信号をパケット信号に変換して外部に出力すると共に、外部から入力されるパケット信号をアナログ信号に変換して前記加入者電話機側に出力するＶｏＩＰ（Voice over IP）機構部と、前記着信検出部、前記発信加入者電話番号検出部、及び前記ＶｏＩＰ機構部と、前記加入者電話機との間で各種の信号の送受信を行う電話機インタフェース部と、当該装置各部を制御すると共に、着信電子メールを作成する制御部と、加入者端末と前記制御部との間で各種の信号の送受信を行うデータ端末インタフェース部と、前記制御部で作成された着信電子メールを前記加入者線に適合した信号に変換して出力するｘＤＳＬ宅内モデムとを備えてなると共に、
前記制御部は、外部の発呼が前記加入者線を介して前記加入者電話機に着信したときは、着信した旨を表す前記着信電子メールを作成し、当該着信電子メールを特定の携帯電話機に転送するように予め設定登録されているインターネットプロバイダへ高速ディジタル通信回線を介して送出し、さらに、前記インターネットプロバイダを介して前記着信メールを受け取った前記端末装置から受信要求があったときは、前記発呼を前記高速ディジタル通信回線を介して転送する構成にされていることを特徴とする宅内転送装置。
【請求項３】
前記高速ディジタル通信回線は、
前記加入者線を共用するｘＤＳＬ（x Digital Subscriber Line）回線であることを特徴とする請求項１又は２記載の宅内転送装置。
【請求項４】
第１の加入者電話機と、請求項１又は２記載の宅内転送装置と、加入者線と、電話交換機と、第２の加入者電話機と、高速ディジタル通信回線、高速ディジタル交換装置と、インターネットと、インターネットプロバイダと、端末装置とを備えてなる電話接続システムであって、
前記宅内転送装置は、
前記第２の加入者電話機の発呼が前記電話交換機及び加入者線を介して前記第１の加入者電話機に着信したとき、着信した旨を表す着信電子メールを作成して前記高速ディジタル通信回線、高速ディジタル交換装置及びインターネットを介して前記インターネットプロバイダに送信し、該インターネットプロバイダから前記インターネットを介して前記端末装置へ送信し、該端末装置から受信要求があったとき、前記発呼を前記高速ディジタル通信回線、高速ディジタル交換装置及びインターネットを介して前記インターネットプロバイダに送信し、かつ、該インターネットプロバイダから前記インターネットを介して前記端末装置へ転送する構成になされていることを特徴とする電話接続システム。
【請求項５】
第１の加入者電話機と、請求項１又は２記載の宅内転送装置と、加入者線と、電話交換機と、第２の加入者電話機と、高速ディジタル交換装置と、インターネットと、インターネットプロバイダと、端末装置とを備えてなる電話接続システムであって、
前記宅内転送装置は、
前記第２の加入者電話機の発呼が前記電話交換機及び加入者線を介して前記第１の加入者電話機に着信したとき、前記加入者線を高速ディジタル通信回線として用い、着信した旨を表す着信電子メールを作成して前記高速ディジタル通信回線、高速ディジタル交換装置及びインターネットを介して前記インターネットプロバイダに送信し、該インターネットプロバイダから前記インターネットを介して前記端末装置へ送信し、該端末装置から受信要求があったとき、前記発呼を前記高速ディジタル通信回線、高速ディジタル交換装置及びインターネットを介して前記インターネットプロバイダに送信し、かつ、該インターネットプロバイダから前記インターネットを介して前記端末装置へ転送する構成になされていることを特徴とする電話接続システム。
【請求項６】
前記高速ディジタル通信回線は、
前記加入者線を共用するｘＤＳＬ（x Digital Subscriber Line）回線であることを特徴とする請求項４又は５記載の電話接続システム。
【請求項７】
第１の加入者電話機と、請求項１又は２記載の宅内転送装置と、加入者線と、電話交換機と、第２の加入者電話機と、高速ディジタル通信回線と、高速ディジタル交換装置と、インターネットと、インターネットプロバイダと、端末装置とを備えてなる電話接続システムにおいて、
前記第２の加入者電話機の発呼が前記電話交換機及び加入者線を介して前記第１の加入者電話機に着信したとき、前記宅内転送装置が、着信した旨を表す着信電子メールを作成して前記高速ディジタル通信回線、高速ディジタル交換装置及びインターネットを介して前記インターネットプロバイダに送信し、該インターネットプロバイダから前記インターネットを介して前記端末装置へ送信し、該端末装置から受信要求があったとき、前記発呼を前記高速ディジタル通信回線、高速ディジタル交換装置及びインターネットを介して前記インターネットプロバイダに送信し、かつ、該インターネットプロバイダから前記インターネットを介して前記端末装置へ転送することを特徴とする電話接続方法。
【請求項８】
第１の加入者電話機と、請求項１又は２記載の宅内転送装置と、加入者線と、電話交換機と、第２の加入者電話機と、高速ディジタル交換装置と、インターネットと、インターネットプロバイダと、端末装置とを備えてなる電話接続システムにおいて、
前記第２の加入者電話機の発呼が前記電話交換機及び加入者線を介して前記第１の加入者電話機に着信したとき、前記宅内転送装置が、前記加入者線を高速ディジタル通信回線として用い、着信した旨を表す着信電子メールを作成して前記高速ディジタル通信回線、高速ディジタル交換装置及びインターネットを介して前記インターネットプロバイダに送信し、該インターネットプロバイダから前記インターネットを介して前記端末装置へ送信し、該端末装置から受信要求があったとき、前記発呼を前記高速ディジタル通信回線、高速ディジタル交換装置及びインターネットを介して前記インターネットプロバイダに送信し、かつ、該インターネットプロバイダから前記インターネットを介して前記端末装置へ転送することを特徴とする電話接続方法。
【請求項９】
請求項１又は２記載の制御部に、外部の発呼が前記加入者線を介して前記加入者電話機に着信したとき、着信した旨を表す前記着信電子メールを作成させ、当該着信電子メールを特定の携帯電話機に転送するように予め設定登録されているインターネットプロバイダへ高速ディジタル通信回線を介して送出させ、さらに、前記インターネットプロバイダを介して前記着信メールを受け取った前記端末装置から受信要求があったときは、前記発呼を前記高速ディジタル通信回線を介して転送させる機能を実現させるための制御プログラム。
【発明の詳細な説明】
【０００１】
【発明の属する技術分野】
この発明は、宅内転送装置、該装置を用いる電話接続システム及び電話接続方法、並びに該装置で用いる制御プログラムに係り、例えば、インターネットなどのネットワークを介して電話を接続する際に用いて好適な宅内転送装置、該装置を用いる電話接続システム及び電話接続方法、並びに該装置で用いる制御プログラムに関する。
【０００２】
【従来の技術】
近年の電話接続システムとして、例えば、ＶｏＩＰ（Voice over IP ）がある。ＶｏＩＰでは、電話交換局に共通トランクとしてボイスとＩＰ信号との変換器が設置され、電話の加入者が特定の電話番号をダイヤルすることにより、同共通トランクが捕捉され、インターネットを介して通話が行われる。
【０００３】
この種の電話接続システムは、従来では例えば図３に示すように、加入者電話機１と、メタリック加入者線２と、電話交換機３と、共通トランク４と、加入者電話機１１と、メタリック加入者線１２と、電話交換機１３と、共通トランク１４と、共通トランク管理装置２０と、インターネットＮＷとを備えている。
【０００４】
この電話接続システムでは、発信加入者が加入者電話機１をオフフック（off-hook）して特定番号をダイヤルすると、電話交換機３が共通トランク４を捕捉する。共通トランク４は、発信加入者に接続相手情報を入力するように、ガイダンスを同発信加入者に対して送信する。発信加入者は、このガイダンスを聴取すると、着信加入者の加入者電話機１１に対応した電話番号をダイヤルする。共通トランク４は、加入者電話機１１を収容する共通トランク１４を見つけ出すため、インターネットＮＷを介して共通トランク管理装置２０に問い合わせる。共通トランク管理装置２０は、共通トランク４から加入者電話機１１の電話番号を受信し、同加入者電話機１１が共通トランク１４に収容されている旨を返送する。この返送された情報に基づいて、共通トランク４と共通トランク１４とがインターネットＮＷで接続され、同共通トランク１４が電話交換機１３を起動し、加入者電話機１１に着呼して着信加入者を呼び出す。この呼び出しに対して着信加入者が応答することにより、インターネット電話サービスが行われる。
【０００５】
図４は、従来の他の電話接続システムの構成図である。
この電話接続システムは、同図に示すように、加入者電話機３１と、加入者端末３２と、ｘＤＳＬ（x Digital Subscriber Line ）宅内モデム３３と、スプリッタ３４と、メタリック加入者線３５と、スプリッタ３６と、電話交換機３７と、加入者電話機４１と、加入者端末４２と、ｘＤＳＬ宅内モデム４３と、スプリッタ４４と、メタリック加入者線４５と、スプリッタ４６と、ｘＤＳＬ局側装置４７と、インターネットプロバイダ４８と、インターネットＮＷとを備えている。
【０００６】
この電話接続システムでは、発信加入者が加入者電話機３１をオフフックすると、スプリッタ３４、メタリック加入者線３５、及びスプリッタ３６を経て電話交換機３７に接続される。そして、発信加入者が加入者電話機４１に対応する電話番号をダイヤルすると、スプリッタ４６、メタリック加入者線４５、及びスプリッタ４４を経て加入者電話機４１を呼び出す。この呼び出しに対して着信加入者が加入者電話機４１をオフフックして応答することにより、電話接続サービスが行われる。
【０００７】
また、加入者端末３２は、ｘＤＳＬ宅内モデム３３、スプリッタ３４、メタリック加入者線３５、及びスプリッタ３６を経てｘＤＳＬ局側装置４７に接続され、同ｘＤＳＬ局側装置４７からインターネットＮＷを介してインターネットプロバイダ４８に接続される。同様に、加入者端末４２も、ｘＤＳＬ宅内モデム４３、スプリッタ４４、メタリック加入者線４５、及びスプリッタ４６を経てｘＤＳＬ局側装置４７に接続され、同ｘＤＳＬ局側装置４７からインターネットＮＷを介してインターネットプロバイダ４８に接続される。このように、加入者電話機３１，４１と加入者端末３２，４２は、それぞれ１本のメタリック加入者線３５，４５を共用するにもかかわらず、独立して使用される。
【０００８】
【発明が解決しようとする課題】
しかしながら、上記従来の電話接続システムでは、次のような問題点があった。  すなわち、図３の電話接続システムでは、トラヒックに見合った共通トランク４，１４の回線数を確保することが困難なことや、加入者が共通トランク４，１４の使用料金を徴収される、特別のダイヤルが付加され、操作が煩雑になる、及びサービス地域が限定されるという問題があった。また、図４の電話接続システムでは、着信加入者が例えば外出中などのため、加入者電話機４１をオフフックできないとき、電話接続サービスが行われないという問題があった。
【０００９】
この発明は、上述の事情に鑑みてなされたもので、簡単な操作で広範囲の地域の電話接続サービスが行うことができる宅内転送装置、該装置を用いる電話接続システム及び電話接続方法、並びに該装置で用いる制御プログラムを提供することを目的としている。
【００１０】
【課題を解決するための手段】
上記課題を解決するために、請求項１記載の発明は、加入者電話機と外部の加入者線との間に介挿される宅内転送装置に係り、前記加入者電話機での呼の着信を検出する着信検出部と、発信加入者の電話番号を検出するための発信加入者電話番号検出部と、当該装置各部を制御すると共に、着信電子メールを作成する制御部と、該制御部で作成された着信電子メールを前記加入者線に適合した信号に変換して出力するｘＤＳＬ宅内モデムとを備えてなると共に、前記制御部は、外部の発呼が前記加入者線を介して前記加入者電話機に着信したときは、着信した旨を表す前記着信電子メールを作成し、当該着信電子メールを特定の携帯電話機に転送するように予め設定登録されているインターネットプロバイダへ高速ディジタル通信回線を介して送出し、さらに、前記インターネットプロバイダを介して前記着信メールを受け取った前記端末装置から受信要求があったときは、前記発呼を前記高速ディジタル通信回線を介して転送する構成にされていることを特徴としている。
【００１１】
また、請求項２記載の発明は、加入者電話機と外部の加入者線との間に介挿される宅内転送装置に係り、前記加入者電話機に接続され、該加入者電話機が前記加入者線を介して外部から送信されてきた呼を受信するときに接続状態になる切替えスイッチ部と、前記加入者電話機での呼の着信を検出する着信検出部と、発信加入者の電話番号を検出するための発信加入者電話番号検出部と、前記加入者電話機側から入力されるアナログ信号をパケット信号に変換して外部に出力すると共に、外部から入力されるパケット信号をアナログ信号に変換して前記加入者電話機側に出力するＶｏＩＰ（Voice over IP）機構部と、前記着信検出部、前記発信加入者電話番号検出部、及び前記ＶｏＩＰ機構部と、前記加入者電話機との間で各種の信号の送受信を行う電話機インタフェース部と、当該装置各部を制御すると共に、着信電子メールを作成する制御部と、加入者端末と前記制御部との間で各種の信号の送受信を行うデータ端末インタフェース部と、前記制御部で作成された着信電子メールを前記加入者線に適合した信号に変換して出力するｘＤＳＬ宅内モデムとを備えてなると共に、前記制御部は、外部の発呼が前記加入者線を介して前記加入者電話機に着信したときは、着信した旨を表す前記着信電子メールを作成し、当該着信電子メールを特定の携帯電話機に転送するように予め設定登録されているインターネットプロバイダへ高速ディジタル通信回線を介して送出し、さらに、前記インターネットプロバイダを介して前記着信メールを受け取った前記端末装置から受信要求があったときは、前記発呼を前記高速ディジタル通信回線を介して転送する構成にされていることを特徴としている。
【００１２】
また、請求項３記載の発明は、請求項１又は２記載の宅内転送装置に係り、前記高速ディジタル通信回線が、前記加入者線を共用するｘＤＳＬ（x Digital Subscriber Line）回線であることを特徴としている。
【００１３】
また、請求項４記載の発明は、第１の加入者電話機と、請求項１又は２記載の宅内転送装置と、加入者線と、電話交換機と、第２の加入者電話機と、高速ディジタル通信回線、高速ディジタル交換装置と、インターネットと、インターネットプロバイダと、端末装置とを備えてなる電話接続システムに係り、前記宅内転送装置は、前記第２の加入者電話機の発呼が前記電話交換機及び加入者線を介して前記第１の加入者電話機に着信したとき、着信した旨を表す着信電子メールを作成して前記高速ディジタル通信回線、高速ディジタル交換装置及びインターネットを介して前記インターネットプロバイダに送信し、該インターネットプロバイダから前記インターネットを介して前記端末装置へ送信し、該端末装置から受信要求があったとき、前記発呼を前記高速ディジタル通信回線、高速ディジタル交換装置及びインターネットを介して前記インターネットプロバイダに送信し、かつ、該インターネットプロバイダから前記インターネットを介して前記端末装置へ転送する構成になされていることを特徴としている。
【００１４】
また、請求項５記載の発明は、第１の加入者電話機と、請求項１又は２記載の宅内転送装置と、加入者線と、電話交換機と、第２の加入者電話機と、高速ディジタル交換装置と、インターネットと、インターネットプロバイダと、端末装置とを備えてなる電話接続システムに係り、前記宅内転送装置は、前記第２の加入者電話機の発呼が前記電話交換機及び加入者線を介して前記第１の加入者電話機に着信したとき、前記加入者線を高速ディジタル通信回線として用い、着信した旨を表す着信電子メールを作成して前記高速ディジタル通信回線、高速ディジタル交換装置及びインターネットを介して前記インターネットプロバイダに送信し、該インターネットプロバイダから前記インターネットを介して前記端末装置へ送信し、該端末装置から受信要求があったとき、前記発呼を前記高速ディジタル通信回線、高速ディジタル交換装置及びインターネットを介して前記インターネットプロバイダに送信し、かつ、該インターネットプロバイダから前記インターネットを介して前記端末装置へ転送する構成になされていることを特徴としている。
【００１５】
また、請求項６記載の発明は、請求項４又は５記載の電話接続システムに係り、前記高速ディジタル通信回線が、前記加入者線を共用するｘＤＳＬ（x Digital Subscriber Line）回線であることを特徴としている。
【００１６】
また、請求項７記載の発明は、電話接続方法に係り、第１の加入者電話機と、請求項１又は２記載の宅内転送装置と、加入者線と、電話交換機と、第２の加入者電話機と、高速ディジタル通信回線と、高速ディジタル交換装置と、インターネットと、インターネットプロバイダと、端末装置とを備えてなる電話接続システムにおいて、前記第２の加入者電話機の発呼が前記電話交換機及び加入者線を介して前記第１の加入者電話機に着信したとき、前記宅内転送装置が、着信した旨を表す着信電子メールを作成して前記高速ディジタル通信回線、高速ディジタル交換装置及びインターネットを介して前記インターネットプロバイダに送信し、該インターネットプロバイダから前記インターネットを介して前記端末装置へ送信し、該端末装置から受信要求があったとき、前記発呼を前記高速ディジタル通信回線、高速ディジタル交換装置及びインターネットを介して前記インターネットプロバイダに送信し、かつ、該インターネットプロバイダから前記インターネットを介して前記端末装置へ転送することを特徴としている。
【００１７】
また、請求項８記載の発明は、電話接続方法に係り、第１の加入者電話機と、請求項１又は２記載の宅内転送装置と、加入者線と、電話交換機と、第２の加入者電話機と、高速ディジタル交換装置と、インターネットと、インターネットプロバイダと、端末装置とを備えてなる電話接続システムにおいて、前記第２の加入者電話機の発呼が前記電話交換機及び加入者線を介して前記第１の加入者電話機に着信したとき、前記宅内転送装置が、前記加入者線を高速ディジタル通信回線として用い、着信した旨を表す着信電子メールを作成して前記高速ディジタル通信回線、高速ディジタル交換装置及びインターネットを介して前記インターネットプロバイダに送信し、該インターネットプロバイダから前記インターネットを介して前記端末装置へ送信し、該端末装置から受信要求があったとき、前記発呼を前記高速ディジタル通信回線、高速ディジタル交換装置及びインターネットを介して前記インターネットプロバイダに送信し、かつ、該インターネットプロバイダから前記インターネットを介して前記端末装置へ転送することを特徴としている。
【００１８】
また、請求項９記載の発明は、制御プログラムに係り、請求項１又は２に記載の前記制御部に、外部の発呼が前記加入者線を介して前記加入者電話機に着信したとき、着信した旨を表す前記着信電子メールを作成させ、当該着信電子メールを特定の携帯電話機に転送するように予め設定登録されているインターネットプロバイダへ高速ディジタル通信回線を介して送出させ、さらに、前記インターネットプロバイダを介して前記着信メールを受け取った前記端末装置から受信要求があったときは、前記発呼を前記高速ディジタル通信回線を介して転送させる機能を実現させることを特徴としている。
【００１９】
【発明の実施の形態】
以下、図面を参照して、この発明の実施の形態について説明する。
図１は、この発明の実施形態である電話接続システムを示す構成図である。
この形態の電話接続システムは、同図に示すように、第１の加入者電話機５１と、加入者端末５２と、宅内転送装置（例えば、ｘＤＳＬ宅内装置６０）と、スプリッタ７１と、加入者線（例えば、メタリック加入者線７２）と、スプリッタ７３と、電話交換機７４と、第２の加入者電話機８１と、加入者端末８２と、ｘＤＳＬ宅内装置９０と、スプリッタ１０１と、メタリック加入者線１０２と、スプリッタ１０３と、高速ディジタル交換装置（例えば、ｘＤＳＬ局側装置１０４）と、インターネットＮＷと、インターネットプロバイダ１０５と、端末装置（例えば、携帯電話無線基地局１０６及び携帯電話機１０７）とを備えている。
【００２０】
ｘＤＳＬ宅内装置６０は、発信加入者の操作による加入者電話機８１の発呼が電話交換機７４及びメタリック加入者線７２を介して着信加入者の加入者電話機５１に着信したとき、同メタリック加入者線７２を高速ディジタル通信回線（例えば、ｘＤＳＬ回線７２）として用い、この着信の旨を表す着信電子メールを作成してｘＤＳＬ回線７２、ｘＤＳＬ局側装置１０４及びインターネットＮＷを介してインターネットプロバイダ１０５に送信し、同インターネットプロバイダ１０５からインターネットＮＷを介して携帯電話無線基地局１０６及び携帯電話機１０７へ送信する。そして、携帯電話機１０７から受信要求があったとき、ｘＤＳＬ宅内装置６０は、加入者電話機８１の発呼をｘＤＳＬ回線７２、ｘＤＳＬ局側装置１０４及びインターネットＮＷを介してインターネットプロバイダ１０５に送信し、かつ同インターネットプロバイダ１０５からインターネットＮＷを介して携帯電話無線基地局１０６及び携帯電話機１０７へ転送する機能を有している。
【００２１】
図２は、図１中のｘＤＳＬ宅内装置６０の構成図である。
このｘＤＳＬ宅内装置６０は、図２に示すように、切り替えスイッチ部６１と、電話機インタフェース部６２と、着信検出部６３と、発信加入者電番検出部６４と、ＶｏＩＰ（Voice over IP ）機構部６５と、データ端末インタフェース部６６と、制御部６７と、ｘＤＳＬ宅内モデム６８とを備えている。切り替えスイッチ部６１は、加入者電話機５１が外部から送信された呼を受信するときに接続状態になり、ｘＤＳＬ宅内装置６０から電子メールなどがｘＤＳＬ回線７２を介して送出されるときには切り離し状態になる。電話機インタフェース部６２は、着信検出部６３、発信加入者電番検出部６４、又はＶｏＩＰ機構部６５と、加入者電話機５１との間で各種の信号の送受信を行う。着信検出部６３は、加入者電話機５１における呼の着信を検出する。発信加入者電番検出部６４は、発信加入者の電話番号が送信されたときに同電話番号を検出する。
【００２２】
ＶｏＩＰ機構部６５は、電話機インタフェース部６２から送出されたアナログ信号をパケット信号に変換する機能、及びパケット信号をアナログ信号に変換して同電話機インタフェース部６２に送出する機能を有している。データ端末インタフェース部６６は、加入者端末５２と制御部６７との間で各種の信号の送受信を行う。制御部６７は、ｘＤＳＬ宅内装置６０全体を制御する中央処理装置（以下、「ＣＰＵ」という）６７ａ、同ＣＰＵ６７ａを動作させるための制御プログラムが記録された記録媒体（例えば、リード・オンリ・メモリ、以下、「ＲＯＭ」という）６７ｂ、及び電子メール作成部６７ｃを有している。制御部６７は、電子メール作成部６７ｃを起動して電子メールを作成する。ｘＤＳＬ宅内モデム６８は、電子メール作成部６７ｃで作成された電子メールをｘＤＳＬ回線７２に適合した信号に変換する。ｘＤＳＬ宅内装置９０も、ｘＤＳＬ宅内装置６０と同様の構成になっている。
【００２３】
次に、図１及び図２を参照して、この形態の電話接続システムにおける電話接続方法について説明する。
発信加入者の操作によって加入者電話機８１の発呼が電話交換機７４及びメタリック加入者線７２を介して着信加入者の加入者電話機５１に着信したとき、メタリック加入者線７２、スプリッタ７１、及びｘＤＳＬ宅内装置６０中の切り替えスイッチ部６１を経て加入者電話機５１と電話機インタフェース部６２に呼出信号が伝達され、着信検出部６３で検出される。そして、例えば発信者電話番号通知サービスを利用する場合、電話機インタフェース部６２から受信準備確認信号が送出されて発信者の番号情報が催促され、返送されてくる発信者番号情報が発信加入者電番検出部６４で受信される。
【００２４】
この受信が完了すると、制御部６７は、電子メール作成部６７ｃを起動し、発信者番号情報、及び予め制御部６７に登録されている加入者電話機５１に対応する電子メールのアドレス情報を用いて、ｘＤＳＬ宅内モデム６８、スプリッタ７１、メタリック加入者線７２、スプリッタ７３、ｘＤＳＬ局側装置１０４及びインターネットＮＷを経てインターネットプロバイダ１０５に着信電子メールを送出する。着信電子メールは、インターネットプロバイダ１０５で受信される。そして、この着信電子メールは、加入者電話機５１に接続されたｘＤＳＬ宅内装置６０から発送され、かつ発信加入者による発呼の着信を伝えるものであることがインターネットプロバイダ１０５で認識される。インターネットプロバイダ１０５には、予め着信加入者によって着信電子メールを携帯電話機１０７の電子メール着信に転送するように設定登録されている。このため、着信電子メールは、インターネットプロバイダ１０５からインターネットＮＷを介して携帯電話無線基地局１０６に転送され、同携帯電話無線基地局１０６から携帯電話機１０７へ送信される。
【００２５】
着信電子メールは携帯電話機１０７で受信され、同携帯電話機１０７のユーザ（例えば、前記着信加入者）は、同着信電子メールの内容から、発信加入者が電話をしてきていることを知る。携帯電話機１０７のユーザがその電話に対して応答したいとき、着信電子メールに付加されたインターネットプロバイダ１０５に対する接続情報を使用して電話発信を行い、同インターネットプロバイダ１０５と接続する。インターネットプロバイダ１０５は、接続情報に基づき、インターネットＮＷを介してｘＤＳＬ局側装置１０４に接続し、さらにスプリッタ７３、メタリック加入者線７２、及びスプリッタ７１を経てｘＤＳＬ宅内装置６０に接続する。
【００２６】
ｘＤＳＬ宅内装置６０では、発信加入者による電話のアナログ信号が電話機インタフェース部６２を介してＶｏＩＰ機構部６５に入力され、同ＶｏＩＰ機構部６５でパケット信号に変換される。パケット信号は、制御部６７で携帯電話機１０７に対応したヘッダ情報が付加され、ｘＤＳＬ宅内モデム６８及びスプリッタ７１を経てメタリック加入者線７２に送出される。そして、パケット信号は、スプリッタ７３、ｘＤＳＬ局側装置１０４、及びインターネットＮＷを介してインターネットプロバイダ１０５で受信される。更に、パケット信号は、インターネットプロバイダ１０５から、インターネットＮＷを介して携帯電話無線基地局１０６に送信され、同携帯電話無線基地局１０６から携帯電話機１０７に送信される。
【００２７】
以上のように、この実施形態では、発信加入者の操作による加入者電話機８１の発呼が加入者電話機５１に着信したとき、ｘＤＳＬ宅内装置６０は、同着信の旨を表す着信電子メールをインターネットＮＷを介して携帯電話機１０７へ送信し、携帯電話機１０７から受信要求があったとき、加入者電話機８１の発呼を携帯電話機１０７へ転送するようにしたので、着信加入者が例えば外出中などで加入者電話機をオフフックできないときでも、同着信加入者が携帯電話機１０７を操作することにより、広範囲の地域で電話接続サービスが行われる。
【００２８】
以上、この発明の実施形態を図面により詳述してきたが、具体的な構成はこの実施形態に限られるものではなく、この発明の要旨を逸脱しない範囲の設計の変更などがあってもこの発明に含まれる。
例えば、実施形態では、ＶｏＩＰ機構部６５でアナログ信号とパケット信号との間の変換を行うようになっているが、この変換は、携帯電話機１０７の内部、携帯電話無線基地局１０６の内部、インターネットプロバイダ１０５、あるいはｘＤＳＬ局側装置１０４の内部のいずれで行っても良い。また、実施形態では、加入者電話機８１は発信加入者によって操作され、加入者電話機５１が着信加入者によって操作されるようになっているが、逆でも良い。また、携帯電話無線基地局１０６及び携帯電話機１０７は、例えば、パーソナルコンピュータなど、インターネットＮＷに接続される端末装置であれば、任意のもので良い。また、図１中のスプリッタ７１，１０１は、それぞれｘＤＳＬ宅内装置６０，９０の内部に設けても良い。また、実施形態では、発信加入者の操作による加入者電話機８１の発呼を携帯電話機１０７へ転送する例を説明したが、加入者端末８２から送信された電子メールなどを加入者端末５２で受信し、電話と同様に携帯電話機１０７へ転送しても良い。また、携帯電話機１０７は、例えばＰＤＡ（Personal Digital Assistants 、携帯情報端末）などでも良い。また、高速ディジタル通信回線は、ｘＤＳＬ回線に限らず、高速通信を実現するものであれば、任意のもので良い。
【００２９】
【発明の効果】
以上説明したように、この発明の構成によれば、発信加入者の操作による第２の加入者電話機の発呼が第１の加入者電話機に着信したとき、宅内転送装置は、同着信の旨を表す着信電子メールをインターネットを介して端末装置へ送信し、同端末装置から受信要求があったとき、第２の加入者電話機の発呼を同端末装置へ転送するようにしたので、着信加入者が例えば外出中などで第１の加入者電話機をオフフックできないときでも、同着信加入者が端末装置を操作することにより、広範囲の地域の電話接続サービスを行うことができる。
【図面の簡単な説明】
【図１】この発明の実施形態である電話接続システムを示す構成図である。
【図２】図１中のｘＤＳＬ宅内装置６０の構成図である。
【図３】従来の電話接続システムの構成図である。
【図４】従来の他の電話接続システムの構成図である。
【符号の説明】
５１，８１      加入者電話機
６０，９０      ｘＤＳＬ宅内装置（宅内転送装置）
７２，１０２      メタリック加入者線（加入者線）
７４      電話交換機
１０４      ｘＤＳＬ局側装置（高速ディジタル交換装置）
１０５      インターネットプロバイダ
１０６      携帯電話無線基地局（端末装置）
１０７      携帯電話機（端末装置）
ＮＷ      インターネット
【図１】
0003690301.tif 000002
【図２】
0003690301.tif 000003
【図３】
0003690301.tif 000004
【図４】
0003690301.tif 000005